(57)【要約】【課題】悪臭の発生を防止し、小便器の洗浄水使用量を減少することが出来、しかも、小便器の排水管系の閉塞を防止することが出来る小便器の提供。【解決手段】人体感知センサ（７）と、制御装置（１１）と、洗浄力の強い気体を発生する機構（１４）と、発生した洗浄力が強い気体が流れる気体流路（Ｌａ）と、洗浄水が流れる洗浄水供給系統（Ｌｗ）とを有し、洗浄力の強い気体と洗浄水とが混合する様に気体流路（Ｌａ）と洗浄水供給系統（Ｌｗ）とは合流しており、気体流路（Ｌａ）と洗浄水供給系統（Ｌｗ）とが合流した洗浄用流体経路（Ｌｃ）は小便器上縁部（１ａ）の洗浄流体排出口（５）に連通している。【選択図】図１
2008156929.tif 000002
【特許請求の範囲】
【請求項１】
人体感知センサと、制御装置と、洗浄力の強い気体を発生する機構と、発生した洗浄力が強い気体が流れる気体流路と、洗浄水が流れる洗浄水供給系統とを有し、洗浄力の強い気体と洗浄水とが混合する様に気体流路と洗浄水供給系統とは合流しており、気体流路と洗浄水供給系統とが合流した洗浄用流体経路は小便器上縁部の洗浄流体排出口に連通しており、前記コントロールユニットは、人体感知センサにより小便器が使用されていることを感知した際に、洗浄力の強い気体を気体流路及び洗浄用流体経路を経由して洗浄流体排出口から第１の所定時間だけ吐出し、人体感知センサにより小便器の使用が完了したことを感知した際に洗浄水及び洗浄力の強い気体を合流して混合した状態で洗浄用流体経路を経由して洗浄流体排出口から第２の所定時間だけ吐出する制御を行う様に構成されていることを特徴とする小便器。
【請求項２】
前記制御手段は、洗浄水及び洗浄力の強い気体を合流して混合した状態で洗浄用流体経路を経由して洗浄流体排出口から第２の所定時間だけ吐出した後、洗浄力の強い気体を気体流路及び洗浄用流体経路を経由して洗浄流体排出口から第３の所定時間だけ吐出する制御を行う様に構成されている請求項１の小便器。
【発明の詳細な説明】
【技術分野】
【０００１】
本発明は、男性用便器或いは小便器に関する。
【背景技術】
【０００２】
一般家庭における便所（トイレ）は、男女が併用することを前提としているため、近年においては、男性用の便器すなわち小便器を別途設けることは行われなくなっている。
それに対して、オフィス用のビルディングその他の商業施設においては、男女のトイレが別々に設けられている。そのため、商業施設におけるトイレでは、依然として小便器の需要が存在する。
【０００３】
近年、環境問題意識が高まっているのに関連して、その様な小便器においても、節水及び／又は二酸化炭素放出量の減少という要請が強くなっている。
しかし、小便器において、節水のために洗浄水量を減少すると、小便器に付着した尿を洗い流すことが困難となる。そして、洗い流すことが出来なかった尿が悪臭の原因となり、男性用トイレに不快な悪臭が充満することにもなりかねない。
すなわち、小便器の洗浄と節水とは、従来においては相反する関係にあり、そのため、小便器における節水は大変に困難であった。
【０００４】
また、小便器を使用する際に、小便器に衝突した尿が飛沫として広範囲に飛散してしまうことは良く知られている。広範囲に飛散した尿の飛沫は、洗浄水により洗い流されること無く、小便器の周辺に残存する。
ここで、尿は有機質であるため、残存した尿の飛沫は腐敗して、独特の悪臭を発生してしまうという問題も存在する。
【０００５】
さらに、小便器の排水（排尿）管系において、汚物が存在すると当該汚物の周囲に尿が残存、堆積して尿石となり、排水管系が閉塞を惹起する恐れがある、という問題も存在する。
【０００６】
その他の従来技術として、例えば、オゾンガスと水道水をインジェクタに送り、均一に混合、撹拌してオゾン水を生成し、生成されたオゾン水を小便器へ供給する技術が存在する（特許文献１参照）。
しかし、係る従来技術では、用便に対するオゾン供給のタイミングや、オゾン供給量の制御については何等開示されておらず、小便器を効果的に自動洗浄することが困難である。それに加えて、上述した問題を解決することが出来ない。
【特許文献１】特開２００１−２４１０８６号公報
【発明の開示】
【発明が解決しようとする課題】
【０００７】
本発明は上述した従来技術の問題点に鑑みて提案されたものであり、悪臭の発生を防止して、且つ、小便器の洗浄水使用量を減少することが出来て、しかも、小便器の排水管系の閉塞を防止することが出来る小便器の提供を目的としている。
【課題を解決するための手段】
【０００８】
本発明の小便器（システムＡ）は、人体感知センサ（７）と、制御装置（コントロールユニット１１）と、洗浄力の強い気体（例えばオゾンが混合したエアー等）を発生する機構（例えば、オゾナイザー１４）と、発生した洗浄力が強い気体が流れる気体流路（Ｌａ）と、洗浄水が流れる洗浄水供給系統（Ｌｗ）とを有し、洗浄力の強い気体と洗浄水とが混合する様に気体流路（Ｌａ）と洗浄水供給系統（Ｌｗ）とは合流しており、気体流路（Ｌａ）と洗浄水供給系統（Ｌｗ）とが合流した洗浄用流体経路（Ｌｃ）は小便器上縁部（１ａ）の洗浄流体排出口（５）に連通しており、前記コントロールユニット（１１）は、人体感知センサ（７）により小便器（１）が使用されていることを感知した際に、洗浄力の強い気体を気体流路（Ｌａ）及び洗浄用流体経路（Ｌｃ）を経由して洗浄流体排出口（５）から第１の所定時間だけ吐出し、人体感知センサ（７）により小便器（１）の使用が完了したことを感知した際に洗浄水及び洗浄力の強い気体を合流して混合した状態で洗浄用流体経路（Ｌｃ）を経由して洗浄流体排出口（５）から第２の所定時間だけ吐出する制御を行う様に構成されていることを特徴としている（請求項１）。
前記洗浄力の強い気体としては、例えばオゾン（Ｏ３）や、安定化した塩素（Ｃｌ４）、気化した各種薬剤のオイルエッセンス、気相状態にあるハーブ、カテキン、フラボノイド、パラボール等を用いることができる。
【０００９】
本発明の小便器を制御する制御方法は、人体感知センサ（７）と、制御装置（コントロールユニット１１）と、洗浄力の強い気体（例えばオゾンが混合したエアー等）を発生する機構（例えば、オゾナイザー１４）と、発生した洗浄力が強い気体が流れる気体流路（Ｌａ）と、洗浄水が流れる洗浄水供給系統（Ｌｗ）とを有し、洗浄力の強い気体と洗浄水とが混合する様に気体流路（Ｌａ）と洗浄水供給系統（Ｌｗ）とは合流しており、気体流路（Ｌａ）と洗浄水供給系統（Ｌｗ）とが合流した洗浄用流体経路（Ｌｃ）は小便器上縁部（１ａ）の洗浄流体排出口（５）に連通している小便器（１）の制御方法において、人体感知センサ（７）により小便器（１）が使用されているか否かを感知する工程（Ｓ１１）と、小便器（１）が使用されていることを感知した際に、洗浄力の強い気体を洗浄流体排出口（５）から第１の所定時間だけ吐出する工程（Ｓ１６）と、人体感知センサ（７）により小便器（１）の使用が完了したか否かを感知する工程（Ｓ１７）と、小便器（１）の使用が完了したことを感知した際に洗浄水及び洗浄力の強い気体を合流して混合した状態で洗浄流体排出口（５）から第２の所定時間だけ吐出する工程（Ｓ１９、Ｓ２０）、とを有している。
【００１０】
本発明の小便器（Ａ）において、前記制御手段（１１）は、洗浄水及び洗浄力の強い気体を合流して混合した状態で洗浄用流体経路（Ｌｃ）を経由して洗浄流体排出口（５）から第２の所定時間だけ吐出した後、洗浄力の強い気体を気体流路（Ｌａ）及び洗浄用流体経路（Ｌｃ）を経由して洗浄流体排出口（５）から第３の所定時間だけ吐出する制御を行う様に構成されているのが好ましい（請求項２）。
【００１１】
これに伴い、本発明の小便器（Ａ）を制御する制御方法においても、洗浄水及び洗浄力の強い気体を合流して混合した状態で洗浄流体排出口（５）から第２の所定時間だけ吐出した後、洗浄力の強い気体を洗浄流体排出口（５）から第３の所定時間だけ吐出する工程（Ｓ２１）を有するのが好ましい。
【００１２】
本発明の実施に際して、洗浄水としては上水或いは中水を使用するのが好ましい。
また、洗浄水を供給する洗浄水供給系統（Ｌｗ）に、当該供給系統（Ｌｗ）を流れる洗浄水を機能水にするための機構（活水器２）を設ける（機能水化する様に構成する）のが好ましい。ここで、洗浄水を機能水にするための機構（機能水化する機構）としては、例えば、洗浄水供給系統（Ｌｗ）を流れる水に強力な磁力を作用させるべく磁界を発生させる機構を用いることが可能である。
【発明の効果】
【００１３】
上述する構成を具備する本発明によれば、洗浄水に気体（例えばオゾンが混合したエアー）が混合されることにより、洗浄水の見かけの体積が増加する。そのため、洗浄水の使用量が従来の小便器に比較して減少しても、洗浄水による小便器（１）内の濡れ面積は同等以上確保され、小便器（１）内に尿が残存してしまうことがない。
しかも、洗浄水には、洗浄力（酸化力）が強い気体（例えばオゾン、その他の薬剤を気化したもの）が混合されているため、小便器（１）中に存在する尿を酸化させ、或いは洗浄して、悪臭源とならない様に分解することができる。
そのため、小便器（１）における悪臭を確実に防止しつつ、洗浄水の使用量を減少させる事が出来るのである。
【００１４】
また、本発明の便器によれば、使用中（排尿中）に、上述した洗浄力の強い気体（オゾン等を混合したエアー）が小便器上方から小便器（１）の周辺領域へ溢れ出るように供給されるので、尿が小便器（１）に当たって微小な飛沫が散乱しても、当該尿の飛沫は必ず洗浄力の強い気体と接触することになり、洗浄（例えば酸化）されることとなる。
すなわち、小便器（１）の周辺に飛散した尿の飛沫は、洗浄力の強い気体により洗浄済み（例えば、オゾンに接触した場合には酸化済み）となっているので、尿中の有機質は腐敗して悪臭源とならぬように清浄化されている。
そのため、小便器（１）周辺に飛散する尿の飛沫による悪臭の発生を防止することが出来るのである。
【００１５】
さらに、洗浄水には、洗浄力（酸化力）が強い気体（例えばオゾン）が混合されているため、小便器（１）を洗浄した洗浄水が排水管系を流れる際に、当該気体も排水管系を流れるので、排水管系に堆積しようとする尿石を洗浄、分解することが出来る。
そのため、排水管系における尿石の堆積或いは成長を抑制して、排水管系の閉塞を防止することが出来る。
【００１６】
利用者が使用に際して（排尿の際に）、いわゆる「最後の一滴」を振り切る際に、当該「最後の一滴」の尿が小便器（１）外に飛散してしまう恐れがある。
しかし、本発明において、使用者が小便器（１）前から立ち退いた後に、上述した洗浄力の強い気体（オゾン等を混合したエアー）が小便器上方（１ａ）から吐出される様に構成すれば（請求項２）、例えはオゾンの様な洗浄力の強い気体は空気よりも重いので、下降して、小便器（１）内から溢れ出して、小便器（１）周辺の床の部分を覆う。
洗浄力の強い気体が小便器（１）周辺の床の部分を覆うことにより、「最後の一滴」の尿が小便器（１）外に飛散しても、小便器（１）周辺の床の部分を覆った洗浄力の強い気体と接触して、洗浄（例えば酸化）される。その結果、飛散した尿が腐敗して悪臭源となることが未然に防止される。
【００１７】
本発明の実施に際して、洗浄水として中水を利用するように構成すれば、水の浪費を防止して、節水に寄与することが出来る。
また、洗浄水に使用する上水或いは中水を機能水化する様に構成すれば、水のクラスタが小さくなり、洗浄効果がさらに向上する。
【発明を実施するための最良の形態】
【００１８】
以下、添付図面を参照して、本発明の実施形態について説明する。
先ず、図１〜図１２を参照して、第１実施形態を説明する。
【００１９】
図１において、全体を符号Ａで示す小便器システムは、小便器本体（小便器）１と、制御部１０と、気体流路Ｌａと、洗浄水供給経路Ｌｗと、洗浄用流体流路Ｌｃとを有している。
【００２０】
制御部１０は、コントロールユニット１１と、送風機１２と、高圧トランス１３と、オゾン発生器（オゾナイザー）１４とから構成されている。制御部１０は、交流電源９（例えば商業電源）に接続されている。
【００２１】
コントロールユニット１１は、送風機１２の起動及び停止や、送風機モーターの回転数を制御すると共に、高圧トランス１３を操作して、オゾナイザー１４への高圧電流の供給を制御している。
オゾナイザー１４は、高圧電流が供給されると、洗浄力の強いオゾンを発生する。発生したオゾンは送風機１２から圧送される空気と混合し、オゾンを含んだエアーとして、気体流路Ｌａを流過するように構成されている。
【００２２】
洗浄水供給経路Ｌｗには、上流側（小便器１から離隔している側）から順に、電磁弁Ｖ１、フラッシュバルブＶ２、活水器２、逆止弁Ｖ３、旋回流発生装置３が介装されている。
活水器２は洗浄水供給経路Ｌｗに磁界を発生させる装置であり、洗浄水供給経路Ｌｗを流れる洗浄水に強力な磁力を作用させる様に構成されている。
図示で明示はしないが、旋回流発生装置３は、溝を切ったロッドを洗浄水供給経路Ｌｗ内に挿入して構成されており、洗浄水供給経路Ｌｗを流れる水に渦流を生じさせる作用を奏する。水に渦流を生じさせることにより、後述の気・液混合装置（ミキサ）４内での気体（オゾンを含んだ洗浄力の強いエアー）と洗浄水との混合を容易にするためである。
【００２３】
気体流路Ｌａと洗浄水供給経路Ｌｗとは、共にミキサ４に連通しており、ミキサ４内で、気体流路Ｌａを流過した気体（オゾンを含んだ洗浄力の強いエアー）と洗浄水供給経路Ｌｗを流過した洗浄水とが混合され、小便器１を洗浄するための洗浄用流体が作られる。
【００２４】
ミキサ４の排出側には、洗浄用流体経路Ｌｃの一端が接続され、洗浄用流体経路Ｌｃの他端は、小便器１の上方に設けられた洗浄流体排出口（以下、スプレッターと言う）５に連通している。
スプレッター５は、小便器１の上方縁部において、幅方向中央に位置しており、例えば２つの排出口から洗浄用流体を流出する様に構成されている。ここで、スプレッダー５を、幅方向全体をカバーするように複数の排出口が形成されている様に構成することも可能である。
しかし、図１で示す様に、小便器１の上方縁部の幅方向中央に設ける方が、スプレッダー５から洗浄用流体を流出する際に加圧する必要が無く、節水という趣旨に合致する。また、図１で示す様なスプレッダーであれば、小便器１の側方に洗浄用流体の「跳ね返り」を防止する「ヘリ」部分を設ける必要が無く、洗浄作業における労力を軽減することが出来るので好適である。
【００２５】
小便器１の前面上方（上縁部）１ａの中央部には、人体検知用センサ７と、周辺環境（例えば、便器周辺の温度、湿度、オゾン濃度及び／又はアンモニア濃度、臭気）を感知し、感知した内容を発信する周辺環境センサ８（例えば、温度センサ、湿度センサ、臭気センサ、オゾンセンサ等）が装備されている。
人体検知用センサ７及び周辺環境センサ８は、入力信号ラインＳｉによってコントロールユニット１１に接続されている。
なお、図１において、符号Ｓｉ２は、コントロールユニット１１から電磁弁Ｖ１へ制御信号を伝達するための信号ラインを示している。
【００２６】
次に、図２を参照して、コントロールユニット１１の構成を説明する。
コントロールユニット１１は、運転制御ブロック１１１と、オゾン発生ブロック１１２と、供給電圧決定ブロック１１３と、回転数決定ブロック１１４と、データベース１１５と、タイマ１１６と、複数のインターフェース１１７ａ〜１１７ｅ（第１のインターフェース〜第５のインターフェース）とを備えている。
回転数決定ブロック１１４は、送風機１２の回転数を決定するために装備されたものである。
【００２７】
第１のインターフェース１１７ａは、人体センサ７からの情報を受信するように構成されている。第１のインターフェース１１７ａは、ラインＬ１を介して運転制御ブロック１１と接続しており、ラインＬ２でタイマ１１６と接続されている。
タイマ１１６は、ラインＬ３を介して運転制御ブロックと接続されている。運転制御ブロック１１１は、ラインＬ４を介して第３のインターフェース１１７ｃと接続されている。
【００２８】
第２のインターフェース１１７ｂは、周辺環境センサ８からの情報を受信するように構成されている。また、第２のインターフェース１１７ｂは、ラインＬ５を介してオゾン発生決定ブロック１１２と接続されている。
オゾン発生ブロック１１２はラインＬ６を介して供給電圧決定ブロック１１３と接続され、ラインＬ８を介して回転数決定ブロック１１４と接続されている。
【００２９】
供給電圧決定ブロック１１３は、ラインＬ７を介して第４のインターフェース１１７ｄと接続されている。
回転数決定ブロック１１４は、ラインＬ９を介して第５のインターフェース１１７ｅと接続されている。
【００３０】
第３のインターフェース１１７ｃ及び第４のインターフェース１１７ｄは高圧トランス１３と接続されている。第５のインターフェース１１７ｅは送風機１２のモーターに接続されている。
【００３１】
データベース１１５は、ラインＬ１０を介してオゾン発生決定ブロックと接続され、ラインＬ１１を介して運転制御ブロック１１１と接続され、ラインＬ１２を介して供給電圧決定ブロック１１３と接続され、ラインＬ１３を介して回転数決定ブロック１１４と接続されている。
【００３２】
小便器使用者が小便器１に近づいた旨を人体センサ７が検知したならば、その旨の情報は第１のインターフェース１１７ａ経由で運転制御ブロック１１１に伝達される。同時に、インターフェース１１７ａ及びラインＬ２経由で使用者が便器の前に立った旨がタイマ１１６に伝達され、タイマ１１６は使用者が便器の前に立った時点からの経過時間をカウントし始める。そして、カウントされた経過時間は、ラインＬ３を介して運転制御ブロック１１１に伝達される。
【００３３】
運転制御ブロック１１１は、データベース１１５に記憶されたプログラムに従って運転制御信号を発生し、その運転制御信号はインターフェース１１７ｃ経由して高圧トランス１３（図１）に発信される。
【００３４】
周辺環境センサ８から受信した情報、例えば小便器１が設けられている便所における環境情報（例えば温度及び湿度の情報）は、第２のインターフェース１１７ｂ、ラインＬ５経由でオゾン発生決定ブロック１１２に伝達される。オゾン発生決定ブロック１１２は、データベース１１５に記憶されたマップに従って適正なオゾン発生量を演算する。
オゾン発生決定ブロック１１２で演算されたオゾン発生量に関する情報は、ラインＬ６経由で供給電圧決定ブロック１１３に伝達されると共に、ラインＬ８経由で回転数決定ブロック１１４に伝達される。
【００３５】
供給電圧決定ブロック１１３は、オゾン発生量に関する情報及びデータベース１１５から送られるマップに基づいて、オゾナイザー１４（図１）に供給する電圧を演算し、演算で求められたオゾナイザー１４への供給電圧に関する情報を、ラインＬ７及びインターフェース１１７ｄを経由して、高圧トランス１３（図１）に伝達する。
【００３６】
回転数決定ブロック１１４は、オゾン発生量に関する情報をデータベース１１５から送られるマップに適用して、送風機１２のモーターの回転数を演算する。回転数決定ブロック１１４で求められた回転数は、ラインＬ９及びインターフェース１１７ｅを経由して、送風機１２（図１）に伝達される。
【００３７】
次に、図３〜図１２に基づいて、小便器（システム）Ａにおける制御について説明する。
図３は、事象が発生する以前の段階（待機時）における制御を示す。
ここで、「事象」とは、
ユーザーが小便器を利用する場合の標準的な事例（図４）、
小便器が連続して使用される事例（図５）、
自動的に保守洗浄を行う事例（図６）、
手動で洗浄する事例（メンテナンス洗浄を行う事例）（図７）、
停電を除く異常時（図８）、
停電時（図９）、
各種の設定を変更する事例（図１０）
の７通りが考えられる。
【００３８】
先ず、図３を参照して、事象が発生する以前の段階（待機時）における制御を説明する。
図３において、電源ＯＦＦの状態から、電源を入れ（ステップＳ１）、使用者が小便器１の前に立つまでは、待機する（ステップＳ２）。
待機中に、小便器１を設置した箇所（男子便所）における環境情報、例えば温度及び湿度を測定する（ステップＳ３）。そして、上記した事象が発生したか否かを判断する（ステップＳ４）。
尚、ステップＳ３においては、各種センサを用いて現在の室内環境を測定、判定して、多段階マップ形式により、オゾンエアー（スプレッダー５から流出するオゾンを含むエアー：以下、本明細書において同じ）の事前流出時間／濃度、オゾン流水時間／濃度、オゾンエアーの事後流出時間／濃度を決定する。
また、オゾン濃度（参加／分解速度）は、予め温度、湿度、経過時間により、マップ上の位置を特定するために定数化している。
【００３９】
上記した事象が発生したなら（ステップＳ４がＹＥＳ）、ステップＳ５に進み、発生していなければ（ステップＳ４がＮＯ）、ステップＳ２以下を繰り返す。
ステップＳ５では、発生した事象に対応する制御、すなわち図４〜図１２の何れかの制御を実行する。
【００４０】
図４は、ユーザーが小便器を利用する場合の標準的な制御を示している。
図４で示す制御は、図４において「図３のステップＳ５」と表記された工程から始まる。
図４の制御において、人体検知センサ７によって使用者が小便器１の前に立ったことを検知する（ステップＳ１１）。
【００４１】
ステップＳ１２では、前回に小便器１が使用された際において、最後にオゾンエアーの流出が終了してから、１２０秒以上が経過したか否かを判断する。
１２０秒以上経過していれば（ステップＳ１２がＹＥＳ）、ステップＳ１４に進み、１２０秒経過していなければ（ステップＳ１２がＮＯ）、図５の制御（後述）を実行する（ステップＳ１３）。
【００４２】
ステップＳ１４では、標準的な洗浄（標準洗浄）を開始し、標準洗浄を２秒間継続する（ステップＳ１５のループ）。
標準洗浄開始から２秒経過したならば（ステップＳ１５がＹＥＳ）、オゾンエアーを２〜６０秒（第１の所定時間）流出する（ステップＳ１６）。本明細書では、ステップＳ１６におけるオゾンエアーの流出を「オゾンエアーの事前流出」と記載している。
【００４３】
ステップＳ１７では、使用者が小便器１の前から退出した旨を検知する。ステップＳ１７で使用者が退出した旨を検知した後、０．５秒経過するまで待機する（ステップＳ１８のループ）。０．５秒が経過したならば（ステップＳ１８がＹＥＳ）、オゾン水（オゾンエアーが混合した洗浄水：以下、同じ）による流水洗浄を３〜５秒（第２の所定時間）間に亘って行う（ステップＳ１９）。
図５で示す事例の様に、小便器１が連続的に使用される場合は、毎回の洗浄水の使用量を減少させてもよい。
ステップ１９におけるオゾン水による流水洗浄が終了した後、５〜１０秒経過するまで待機する（ステップＳ２０がＮＯのループ）。ステップ１９におけるオゾン水による流水洗浄が終了した後、５〜１０秒経過したならば（ステップＳ２０がＹＥＳ）、スプレッダー５からオゾンエアーを１〜５秒間に亘って流出する（ステップＳ２１）。本明細書では、ステップＳ２１におけるオゾンエアーの流出を事後流出と記載する。ステップＳ２１の事後流出の後、図３のＲ１に進む。
【００４４】
図４の制御、すなわちユーザーが小便器を利用する場合の標準的な制御では、ステップＳ１６におけるオゾンエアーの事前流出で、洗浄力の強いオゾンを混合したエアーが小便器１の上方のスプレッダー５から小便器１の周辺領域へ溢れ出るように供給される。そのため、尿が小便器１に当たって微小な飛沫が散乱しても、当該尿の飛沫は、スプレッダー５から流出する洗浄力の強い気体（オゾンエアー）と必ず接触し、（例えば酸化して）悪臭を発しない状態となるので、小便器１周囲に尿が飛散することによる悪臭の発生が確実に防止される。
【００４５】
また、ステップＳ１９のオゾン水による洗浄は、洗浄水には洗浄力（酸化力）が強いオゾンが混合されているため、小便器１を洗浄した洗浄水が排水管系を流れる際に、オゾンも排水管系を流れるので、排水管系に堆積しようとする尿石を洗浄、分解することが出来る。そのため、排水管系における尿石の堆積或いは成長を抑制して、排水管系の閉塞を防止することが出来る。
【００４６】
また、洗浄水には洗浄力（酸化力）が強いオゾンが混合されているため、必要な濡れ面積を確保しつつ、洗浄水量を減少（節水）する事が出来る。
更に、ステップＳ２１のオゾンエアーの事後流出によって、使用者が立ち去った後に、小便器１周辺に飛散した尿を悪臭が発生しない状態に反応して（酸化反応）、しかも、小便器１周辺における除菌・殺菌を確実にこなすことができる。
【００４７】
図５は、小便器１が連続して使用される事例における制御を示している。
図５における制御は、図５において「図４のステップＳ１３」と表記された工程から始まる。ステップＳ３１で洗浄の制御を開始する。
図４のステップＳ１３から２秒経過するのを待ち（ステップＳ３２でＮＯのループ）、２秒経過したなら（ステップＳ３２がＹＥＳ）、オゾンエアーを小便器１のスプレッター５から２〜６０秒間事前流出させる（ステップＳ３３）。
【００４８】
ステップＳ３４で、使用者が小便器１からの退出した旨を検知したならば、当該検知の後、０．５秒経過するまで待機する（ステップＳ３５がＮＯのループ）。使用者が小便器１からの退出してから０．５秒が経過したならば（ステップＳ３５がＹＥＳ）、オゾン水による流水洗浄を１〜２秒の間行う（ステップＳ３６）。
オゾン水による流水洗浄（ステップＳ３６）が終了してから５〜１０秒経過するまで待ち（ステップＳ３７がＮＯのループ）、５〜１０秒経過したなら（ステップＳ３７がＹＥＳ）、オゾンエアー事後流出（図４におけるステップＳ１６の説明参照）を１〜５秒間行う（ステップＳ３８）。ステップＳ３８のオゾンエアー事後流出が終了したならば、図３のＲ２に進む。
【００４９】
図５で示す制御（小便器が連続して使用される制御）における作用効果は、図４のユーザーが小便器を利用する場合の標準的な制御における作用効果と、同様である。
ここで、図５の事例では洗浄水による小便器１の洗浄が、僅かな間隔を隔てて連続的に行われるので、洗浄水の使用量を減少させても、十分な洗浄が期待できるのである。
【００５０】
図６は、自動的に保守洗浄を行う制御を説明している。
図６における制御は、「図３のステップＳ５から」から始まる。
図６のステップＳ４１では、４〜８時間に亘って小便器１が利用されていない状態が続いているか否かを判断する。小便器１が利用されていない状態が４〜８時間に亘って続いたならば（ステップＳ４１がＹＥＳ）、ステップＳ４２に進む。小便器１が利用されていない状態が４〜８時間に亘って続いていないのであれば（ステップＳ４１がＮＯ）、図３のステップＳ５に戻り待機する（ステップＳ４１がＮＯのループ）。
【００５１】
ステップＳ４２では保守洗浄を開始する。保守洗浄にあたっては、小便器１のスプレッター５から２〜６０秒間に亘ってオゾンエアーを流出する（ステップＳ４３：事前流出）。ステップＳ４３においてオゾンエアーの事前流出を行った後、オゾン水による流水洗浄が１〜５秒間行われる（ステップＳ４４）。そして、図３のＲ１に進む。
【００５２】
図６の自動的に保守洗浄を行う制御においても、オゾンエアーの事前流出及びオゾン水による流水洗浄によって、小便器１及び小便器周辺は、清潔な状態が保たれる。
【００５３】
図７は、例えば作業員による手作業で小便器１を洗浄する（メンテナンス洗浄）場合の制御を説明している。
図７における制御も、図７において「図３のステップＳ５から」と表示された工程から始まる。
図７において、ステップＳ５１では手動ボタンを押す。するとメンテナンス洗浄が開始され（ステップＳ５２）、オゾンを混合していない洗浄水を流出させる洗浄が１〜５秒間行われる（ステップＳ５３）。そして、図３のＲ１に進む。
手作業による小便器１の洗浄においては、洗浄用の薬剤等を別途使用する場合が多く、洗浄力が強いオゾンを洗浄水に混合させなくても良い場合が多いので、洗浄水にはオゾンを混合しないのである。
【００５４】
図８は、停電を除く異常時における制御を説明している。
図８における制御も、図８において「図３のステップＳ５から」と表示された工程から始まる。
図８において、ステップＳ６１では異常（例えば、小便が終わったのに流水が始まらない、洗浄水の流出が止まらない等）を検知する。そして、警告音を発生し、図示しないモニタに故障モードを表示する（ステップＳ６２）。
ステップＳ６３では、検知された異常の内容を異常モード別に分類した上で異常回数としてカウントし、検知された異常の内容を、例えばデータベース１１５（図２参照）に記憶する。そして、一定時間システムの作動を停止（ステップＳ６４）し、図３のＲ１に進む。
【００５５】
図８の制御が行われることにより、停電を除く異常の形態が統計的に把握され、故障原因の特定が容易にでき、迅速な対応に活かすことができる。また、今後のシステム開発において、更なる性能向上に寄与するデータを蓄積することが出来る。
【００５６】
図９は、停電時の制御について説明する。
図９の制御も、図９において「図３のステップＳ５から」と表示されている工程から始まる。
図９において、ステップＳ７１では停電を検知し、停電中（ステップＳ７２）である旨を、図示しないモニタに表示する（ステップＳ７３）。
ステップＳ７４では、例えば図示しない補助電源等を使用して、一定時間内はシステムの動作を保障する。そして、一定時間経過後に動作を停止させる（ステップＳ７５）。
【００５７】
図９の停電時の制御では、一定時間内はシステムの動作が確保できるので、小便器の衛生に最低限必要な洗浄が実行される。
また、洗浄水が流出させている間に停電しても、洗浄水を確実に防止することが出来る。オゾンエアーが流出している場合も同様である。
【００５８】
図１０は、各種の設定（例えば、流水の時間等）を変更する場合の制御を示している。
図１０の制御も、図１０において「図３のステップＳ５から」と表示されている工程から始まる。
図１０において、設定ボタンを押すと（ステップＳ８１）、現在の設定情報を表示する（ステップＳ８２）。
ステップＳ８３では、作業者、或いは管理者が設定内容を変更するか否かを判断する。
設定内容を変更するのであれば（ステップＳ３がＹＥＳ）、ステップＳ８４に進み、変更しないのであれば（ステップＳ８３がＮＯ）、図３のＲ１に進む。
ステップＳ８４では、変更するべき設定内容を、作業者、或いは管理者が図示しない入力手段によって入力する。入力された設定情報はデータベース１１５に保存され（ステップＳ８５）、図３のＲ１へ進む。
【００５９】
図１０の各種の設定（例えば、流水の時間等）を変更する場合の制御により、節水や二酸化炭素排出削減を更に向上させる様に、各種の設定を改善する余地が生まれる。
【００６０】
図１１は、第１実施形態の第１変形例を示している。
図１では、制御装置としては制御部１０のコントロールユニット１１のみが設けられているが、図１１で示す第１変形例では、第２のコントロールユニット１１Ａが追加されている。
第２のコントロールユニット１１Ａには、信号ラインＳｉ３を介して人体検知用センサ７からの検知信号が入力されている。そして、信号ラインＳｉ２を介して第２のコントロールユニット１１Ａからの制御信号が電磁弁Ｖ１に伝達される。
【００６１】
第２のコントロールユニット１１Ａは、例えば電池の様な蓄電装置９Ａを駆動電源としている。
図９で説明した停電時の制御において、ステップＳ７４で示す一定時間内はシステムの動作を保障する制御は、停電時においても蓄電装置９Ａ（例えば電池：補助電源に相当）で駆動する第２のコントロールユニット１１Ａにより、小便器システムにおける必要最低限の操作（洗浄水の供給、排水）が保証されるのである。
なお、停電時におけるデータは、第２のコントロールユニット１１Ａから、後述する伝達系統ＮＷ１を介して、コントロールユニット１１に送られる。
【００６２】
図１１において、符号ＮＷ１は、第１のコントロールユニット１１と第２のコントロールユニット１１Ａと間で必要な情報を授受するための伝達系統を示している。
伝達系統ＮＷ１は、信号ケーブルのみならず、赤外線信号発生装置及び赤外線信号受信装置を有する赤外線無線通信システムであっても良いし、専用のリモコン端末やモバイルコンピュータ等を用いてオペレータが信号を仲介するシステムであっても良い。換言すれば、第１のコントロールユニット１１と第２のコントロールユニット１１Ａと間で必要な情報を授受するための伝達系統については、特に限定するものではない。
図１１の第１変形例におけるその他の構成及び作用効果については、図１〜図１０を参照して説明したのと同様である。
【００６３】
図１２は、第１実施形態の第２変形例を示している。
図１では、コントロールユニット１１を設けた制御部１０は、オゾン発生器１４側に設けられている。これに対して図１２の第２変形例においては、電磁弁Ｖ１を介装した洗浄水供給経路Ｌｗに制御部１０Ｂを設け、制御部１０Ｂにコントロールユニット１１Ｂを設けている。
制御部１０Ｂは、交流電源９（例えば商用電源）で駆動する様に構成されている。
【００６４】
人体検知用センサ７及び周辺環境センサ８は、入力信号ラインＳｉによってコントロールユニット１１Ｂに接続されている。
コントロールユニット１１Ｂは、信号ラインＳｉ４を介して送風機１２の起動及び停止や、送風機モーターの回転数を制御すると共に、信号ラインＳｉ５を介して高圧トランス１３を操作して、オゾナイザー１４への高圧電流の供給を制御している。
図１２の第２変形例におけるその他の構成及び作用効果については、図１〜図１０を参照して説明したのと同様である。
【００６５】
次に、図１３〜図１５を参照して、第２実施形態を説明する。
図１３では、小便器１を含むシステム全体を、符号Ｂで示している。
図１〜図１２の第１実施形態では、オゾナイザー１４でオゾンを発生して、エアーと混合している。それに対して、図１３の第２実施形態では、薬剤タンク１４Ｂに貯留した薬剤を気化して、エアーと混合している。
ここで、薬剤としては、例えば、例えば安定化した塩素（Ｃｌ４）や気化した各種薬剤のオイルエッセンス、気相状態にあるハーブ、カテキン、フラボノイド、パラボール等を用いることができる。
【００６６】
図１３において、薬剤タンク１４Ｂに貯留する薬剤を気化する手段として、電気式のヒーター１３Ｂを使用している。そして、ヒーター１３Ｂに供給される電力及び／又は送風機１２の送風モーターの回転数をコントロールユニット１１で制御することにより、薬剤の供給流量を制御している。
ここで、ヒーター１３Ｂとして半導体ヒーターを用いても良い。
【００６７】
第１実施形態の図２におけるオゾン発生量決定ブロック１１２は、第２実施形態では、「薬剤供給流量決定ブロック」となる。ここで、機能ブロック図で表現した場合には、「オゾン発生量決定ブロック」も「薬剤供給流量決定ブロック」も同一のブロックで表現される。従って、図１１の第２実施形態におけるコントロールユニット１１のブロック図は、図２と概略同様となる。
また、第１実施形態におけるブロック図（図２）において、供給電圧決定ブロック１１３で決定された電圧にかかる電圧信号が高圧トランス１３へ伝達されている。それに対して、図１１の第２実施形態においては、供給電力供給ブロックで決定された電力に係る電力信号が電気式ヒーター１３Ｂへ供給されることとなる。
【００６８】
図１３の第２実施形態では、洗浄力の強い気体を、第１実施形態のオゾンに対して、安定化した塩素（Ｃｌ４）や気化した各種薬剤のオイルエッセンス、気相状態にあるハーブ、カテキン、フラボノイド、パラボール等に代えている。そして、第２実施形態におけるその他の構成及び作用効果については、第１実施形態と概略同じである。
【００６９】
図１４は、第２実施形態の第１変形例を示している。
図１４の第１変形例は、第１実施形態の第１変形例を示す図１１で示す構成と対応している。
すなわち、図１４の第１変形例では、第２のコントロールユニット１１Ａを有しており、電磁弁Ｖ１の制御や停電時の制御（図９参照）は第２のコントロールユニット１１Ａが担当している。
図１４の他の構成及び作用効果については、図１３の実施形態や図１１の変形例と同様である。
【００７０】
図１５は、第２実施形態の第２変形例を示している。
図１５の第２変形例は、第１実施形態の第２変形例を示す図１２で示す構成と対応している。
すなわち、図１５の第２変形例では、電磁弁Ｖ１を介装した洗浄水供給経路Ｌｗに制御部１０Ｂを設け、制御部１０Ｂにコントロールユニット１１Ｂを設けている。
図１５におけるその他の構成及び作用効果については、図１３の実施形態や図１２の変形例と同様である。
【００７１】
次に、図１６を参照して第３実施形態を説明する。第３実施形態においては、図１の小便器１を含むシステム全体が符号Ａで示されており、そのシステムＡを包含したネットワークシステム全体が符号Ｃで示されている。
図１６の第３実施形態では、第１実施形態の小便器１（図１〜図１２）を有するシステムＡ及び／又は第２実施形態（図１３〜図１５）のシステムＢの適用を前提としており、当該システムＡ及び／又はＢを適用することにより節約できた水量や、二酸化炭素削減量について、管理用サーバー３００を用いて一元的に管理している。
ここで、図１６では図１〜図１０に係るシステムＡしか示されていないが、図１１、図１２の変形例や、図１３〜図１５のシステムＢも用いることも出来る。
【００７２】
第３実施形態の構成を示す図１６では、小便器（システムＡ）からインターネット２００を経由して管理用サーバー３００に情報を伝達しているが、ローカルエリアネットワーク（ＬＡＮ）により情報を伝達しても良い。或いは、専用の信号伝達ラインを用いても良い。
【００７３】
さらに、図示はされていないが、個々の小便器から携帯用の端末により情報を吸い上げ、当該携帯用の端末に記憶された個々の小便器における情報を、（当該携帯用端末により）管理用サーバー３００に伝達しても良い。
【００７４】
上述した第３実施形態の小便器システムＣによれば、第１実施形態及び／又は第２実施形態に係る小便器１を適用することにより節約できた水量や、二酸化炭素削減量について、管理用サーバー３００を用いて一元的に管理しているため、例えば、節水量の限界値（便器洗浄機能を損なうことなく節水できる量）を割り出すこともできる。したがって、更なる節水や二酸化炭素の削減が可能となる。
【００７５】
図示の実施形態はあくまでも例示であり、本発明の技術的範囲を限定する趣旨の記述ではない。
例えば、図示の実施形態は、スプレッダー５を有するタイプの小便器１に適用されているが、本発明はスプレッダーを有していないタイプの小便器においても適用可能である。この場合、オゾンと混合したエアーとオゾンと混合した洗浄水は、小便器の上縁部に複数設けられた洗浄流体排出口から吐出される。
【００７６】
或いは、環境センサとしてアルコールセンサ或いはアルデヒドセンサを設け、男子用トイレの利用者が酩酊状態にある場合には、排尿量も多く、小便器の使用時間が長くなることを前提に、飲酒をしている利用者を対象とした制御モードに切り替える様に構成する事が出来る。
さらに、昼夜の時間帯や、週末と平日とでは、小便器の使用状況が異なることを考慮して、制御部１０、１０Ｂに時計及びカレンダーとして作動する部材を設け、時間帯、或いは平日と休日或いは週末とで異なる運転モードを設定し、時刻及び日付（曜日も含む）により、運転モードを自動的に切り換える様に構成することも可能である。
【図面の簡単な説明】
【００７７】
【図１】本発明の第１実施形態の全体構成を示すブロック図。
【図２】第１実施形態のコントロールユニットの構成を示すブロック図。
【図３】第１実施形態において事象が発生する以前の段階における制御方法を示すフローチャート。
【図４】第１実施形態においてユーザーが小便器を利用する場合の標準的な制御を示すフローチャート。
【図５】第１実施形態において小便器が連続して使用される場合の制御フローチャート。
【図６】第１実施形態で自動的に保守洗浄を行う場合の制御フローチャート。
【図７】第１実施形態で作業者が洗浄する場合の制御フローチャート。
【図８】第１実施形態で停電を除く異常時の制御フローチャート。
【図９】第１実施形態で停電時の制御フローチャート。
【図１０】第１実施形態で各種の設定を変更する場合の制御フローチャート。
【図１１】第１実施形態の第１変形例の構成を示すブロック図。
【図１２】第１実施形態の第２変形例の構成を示すブロック図。
【図１３】第２実施形態の全体構成を示すブロック図。
【図１４】第２実施形態の第１変形例の構成を示すブロック図。
【図１５】第２実施形態の第２変形例の構成を示すブロック図。
【図１６】第３実施形態の全体構成を示すブロック図。
【符号の説明】
【００７８】
１・・・小便器（本体）
２・・・活水器
３・・・旋回流発生装置
４・・・ミキサ
５・・・洗浄流体排出口
７・・・人体検知センサ
８・・・周辺環境検知センサ
９・・・商業電源／交流電源
１０、１０Ｂ・・・制御部
１１、１１Ａ、１１Ｂ・・・コントロールユニット
１２・・・送風機
１３・・・高圧トランス
１４・・・オゾン発生器／オゾナイザー
１１１・・・運転制御ブロック
１１２・・・オゾン発生決定ブロック
１１３・・・供給電圧決定ブロック
１１４・・・回転数決定ブロック
１１５・・・データベース
Ｌａ・・・気体流路
Ｌｃ・・・洗浄用流体経路
Ｌｗ・・・洗浄水供給経路
【図１】
2008156929.tif 000003
【図２】
2008156929.tif 000004
【図３】
2008156929.tif 000005
【図４】
2008156929.tif 000006
【図５】
2008156929.tif 000007
【図６】
2008156929.tif 000008
【図７】
2008156929.tif 000009
【図８】
2008156929.tif 000010
【図９】
2008156929.tif 000011
【図１０】
2008156929.tif 000012
【図１１】
2008156929.tif 000013
【図１２】
2008156929.tif 000014
【図１３】
2008156929.tif 000015
【図１４】
2008156929.tif 000016
【図１５】
2008156929.tif 000017
【図１６】
2008156929.tif 000018